(57)【要約】【課題】複数のＩＣカード（Ｂ−ＣＡＳカード）を１つの受信装置で用いる場合に、各カードに契約有無等の差異が生じるため、特定のデータ放送での挙動や自動表示メッセージの表示有無などが異なる可能性があり、このような場合、ユーザが受信装置の挙動を理解しにくく、使い勝手が悪いといった問題がある。  また、複数のＩＣカード（Ｂ−ＣＡＳカード）のうちいずれかのカードが故障した場合にも、故障したカードの種類や契約有無により受信装置の挙動が変わってしまう場合が考えられる。この場合も、ユーザが受信装置の挙動を理解しにくく、またその原因をユーザが特定するのが困難といった問題がある。  また、有料放送に設定される仮視聴期間の扱いによっては、放送事業者が意図する仮視聴期間を守らない使用方法を助長するおそれがある。【解決手段】本発明は、複数のＩＣカードのうち１枚のＩＣカードを代表カードとして設定し、適切な表示や機能制限を行う。【選択図】  図８
2011078043.tif 000002
【特許請求の範囲】
【請求項１】
スクランブル処理が施されたデジタル放送を受信する受信部と、
前記受信部で受信したデジタル放送のスクランブルを解除するデスクランブル部と、
デスクランブル処理に使用する複数の限定受信制御部と、
デスクランブル処理に使用する限定受信制御部を制御する制御部とを備え、
前記制御部は、前記複数の限定受信制御部のいずれか１つの限定受信制御部を所定の限定受信制御部として設定することを特徴とする受信装置。
【請求項２】
請求項１の受信装置であって、
前記制御部は、前記複数の限定受信制御部のうち、デスクランブル可能な放送波の種類又はデスクランブル可能な番組が最も多い限定受信制御部を前記所定の限定受信制御部として設定することを特徴とする受信装置。
【請求項３】
請求項１の受信装置であって、
前記デスクランブル部でスクランブルを解除されたデジタル放送を出力する出力手段とを有し、
前記受信部が前記出力手段から出力するメッセージを受信した場合に、前記所定の限定受信制御部が前記メッセージの対象であれば前記出力手段からメッセージを出力し、前記所定の限定受信制御部が前記メッセージの対象でなければ前記出力手段からメッセージを出力しないことを特徴とする受信装置。
【発明の詳細な説明】
【技術分野】
【０００１】
技術分野は、デジタル情報を受信する受信装置に関する。
【背景技術】
【０００２】
日本では、地上デジタル放送やＢＳ（Ｂｒｏａｄｃａｓｔ  Ｓａｔｅｌｌｉｔｅ）デジタル放送、ＣＳ（Ｃｏｍｍｕｎｉｃａｔｉｏｎ  Ｓａｔｅｌｌｉｔｅ）デジタル放送などのデジタル放送が現在行われている。デジタル放送にはＭＵＬＴＩ２暗号によるスクランブルが施されており、その視聴には限定受信制御およびデスクランブル処理が必要となる。限定受信方式に関して、特許文献１に示す発明がある。
【０００３】
特許文献１には、「自分あるいは他人の受信装置に関係なく受信装置があれば契約者による番組の視聴ができるようにした衛星放送受信システムを提供すること」ことを課題とし、その解決手段として、「契約者の所有する携帯可能電子機器を受信装置に接続することにより衛星放送の受信を可能にするシステムであって、前記携帯可能電子機器は、契約者の識別情報を記憶する識別情報記憶手段と、契約情報に基づいて前記受信装置に設けられているデスクランブル手段の動作を制御する動作制御手段とを有し、前記受信装置は、識別情報記憶手段から識別情報を読み取る読取手段と、読み取った識別情報と衛星放送に含まれる契約情報との比較に基づいてデスクランブル処理に必要な契約情報の動作制御手段への記憶を制御する・記憶制御手段とを有する」ことが記載されている。
【０００４】
また、現行の各種デジタル放送においては、限定受信方式として、Ｂ−ＣＡＳ（ＢＳ  Ｃｏｎｄｉｔｉｏｎａｌ  Ａｃｃｅｓｓ  Ｓｙｓｔｅｍ）カードと呼ばれる着脱可能なＩＣカードが使用されている。Ｂ−ＣＡＳカードには、地上デジタル放送の受信を目的とした地上デジタル専用カードや、地上デジタル放送およびＢＳデジタル放送およびＣＳデジタル放送の三種類が受信可能な３波共用カードなど、視聴可能な放送形態に応じて複数の種類が存在する。
【０００５】
また、デジタル放送では、特定の事業者との契約によりスクランブルを解除し視聴可能となる有料放送と、そのような契約が不要な無料放送とがある。現状では、ＢＳデジタル放送やＣＳデジタル放送には有料放送の番組があり、地上デジタル放送は無料放送である。そして、有料番組の視聴に関するユーザと事業者との契約は、ＩＣカード（Ｂ−ＣＡＳカード）ごとに行われることもあり、この場合当該ＩＣカード（Ｂ−ＣＡＳカード）を用いた受信装置では有料放送のデスクランブルが可能となる。
【０００６】
このように、視聴する放送の形態（地上デジタル放送またはＢＳ／ＣＳデジタル放送、有料放送または無料放送）によって、必要となるＩＣカードおよびその契約形態が異なる。
【０００７】
また、現在、ＩＣカード（Ｂ−ＣＡＳカード）１枚を用いて２番組の視聴および／または録画を実現する受信装置が製品化されている。
【先行技術文献】
【特許文献】
【０００８】
【特許文献１】特開平４−１３８７３５
【発明の概要】
【発明が解決しようとする課題】
【０００９】
上述の通り、現在、ＩＣカード（Ｂ−ＣＡＳカード）１枚を用いて２番組までデスクランブルする受信装置が製品化されているが、３番組以上の番組を同時に視聴および／または録画する受信装置を実現する場合は、２枚以上ＩＣカード（Ｂ−ＣＡＳカード）を用いることが必要となる。言い換えると、ＩＣカード（Ｂ−ＣＡＳカード）１枚を用いてデスクランブルする番組の数よりも多くの番組をデスクランブルする場合、２枚以上ＩＣカード（Ｂ−ＣＡＳカード）を用いることが必要となる。
【００１０】
例えば３番組を同時に視聴等する場合は２枚、６番組を同時に視聴等する場合は３枚のＩＣカード（Ｂ−ＣＡＳカード）を用いることができる構成にする必要がある。
【００１１】
ここで、複数同時に視聴する放送が全て地上デジタル放送等の無料放送の場合は、同時に視聴等するのに必要な枚数のＩＣカード（Ｂ−ＣＡＳカード）を用いることができるように構成すればよいが、特定の事業者との契約によりスクランブルを解除し視聴可能となる有料放送を視聴できる受信装置を考えた場合、以下の問題点が考えられる。
【００１２】
特定の事業者との契約による有料番組の視聴について、ＩＣカード（Ｂ−ＣＡＳカード）ごとに有料番組の視聴契約をする場合、仮に複数枚のＩＣカード（Ｂ−ＣＡＳカード）を用いる受信装置を持っているユーザと契約する場合であっても、有料番組の視聴契約を行うＩＣカード（Ｂ−ＣＡＳカード）は１枚であると考えられる。なぜならば、複数枚のＩＣカード（Ｂ−ＣＡＳカード）に対して１件分の契約を行うと、複数のＩＣカード（Ｂ−ＣＡＳカード）を用いて複数の受信装置で契約した有料番組の視聴が可能となり、場合によっては１件分の契約で複数の家庭で有料番組の視聴が可能となってしまうからである。
【００１３】
そうすると、複数のＩＣカード（Ｂ−ＣＡＳカード）を用いる受信装置を持っているユーザが有料番組の視聴契約を１件行う場合、その有料番組をデスクランブルできる１枚のカードと、その有料番組をデスクランブルできない他のカードとが１つの受信装置に混在することになる。
【００１４】
また、複数のＩＣカード（Ｂ−ＣＡＳカード）が１つの受信装置に用いられると、地上デジタル放送をデスクランブルできる地上デジタル専用カードと、地上デジタル放送、ＢＳデジタル放送、ＣＳデジタル放送をデスクランブルできる３波共用カードとが１つの受信装置に混在すること、すなわちデスクランブルできる放送が異なる複数のＩＣカード（Ｂ−ＣＡＳカード）が１つの受信装置に混在することも考えられる。
【００１５】
すなわち、複数のＩＣカード（Ｂ−ＣＡＳカード）が１つの受信装置に用いられると、処理能力が異なる複数のＩＣカード（Ｂ−ＣＡＳカード）が１つの受信装置に混在することが考えられる。
【００１６】
処理能力が異なる複数のＩＣカード（Ｂ−ＣＡＳカード）が１つの受信装置に混在すると、各カードに処理能力の差異が生じるため、特定のデータ放送（双方向サービスなど）や自動表示メッセージなどに対する挙動（レスポンス）がカードごとに異なるという状況が考えられる。選局操作の遷移状態などによって、アクセスするＩＣカードが都度変わり、ある状態において、特定のデータ放送での挙動や自動表示メッセージの表示有無などが異なる可能性があり、このような場合、ユーザが受信装置の挙動を理解しにくく、使い勝手が悪いといった問題がある。
【００１７】
また、複数のＩＣカード（Ｂ−ＣＡＳカード）を１つの受信装置に用いる場合、ＩＣカード（Ｂ−ＣＡＳカード）を挿入するスロットも複数となる。そうすると、処理能力の異なる複数のＩＣカード（Ｂ−ＣＡＳカード）をそれぞれどのスロットに挿入すれば良いのかがわかり難くなるおそれがあり、ユーザにとって使い勝手が悪くなる。
【００１８】
また、複数のＩＣカード（Ｂ−ＣＡＳカード）のうちいずれかのカードが故障した場合や、いずれかのカードが未挿入であったり、誤挿入されていたりした場合にも、故障したカード、未挿入のカード、誤挿入のカードの種類や契約有無により受信装置の挙動が変わってしまう場合が考えられる。この場合も、ユーザが受信装置の挙動を理解しにくく、またその原因をユーザが特定するのが困難といった問題がある。
【００１９】
また、複数のＩＣカード（Ｂ−ＣＡＳカード）を１つの受信装置に用いる場合、例えば契約が必要な番組を契約なしで視聴可能とする期間（仮視聴期間、プレビュー期間ともいう。有料放送未契約のユーザへの加入勧誘などを目的として放送事業者が定める場合がある。）について問題が生じるおそれがある。
【００２０】
例えば、有料放送に設定される仮視聴期間は、各カードごとに設定されることがある。この場合、複数のカードを用いることで、放送事業者が意図する仮視聴期間を守らない使用方法を助長するおそれがある。例えば、同じ契約形態の有料放送が視聴可能なＩＣカードをＮ枚使用する場合、それぞれのＩＣカードごとに仮視聴期間が存在するため、それらを１枚ずつＮ回に分けて使用すると、１つの有料放送に対する仮視聴期間は見かけ上Ｎ倍となり、放送事業者が意図する仮視聴期間とはならなくなってしまい、そのような使用方法が放送事業者から許可されない場合が考えられる。
【００２１】
以上のように、複数のＩＣカード（Ｂ−ＣＡＳカード）を１つの受信装置に用いる場合に、ユーザの使い勝手の向上を図り、また放送事業者の意図通りの運用を可能とするためには、ＩＣカードの機能や設定を適切に管理する仕組みが必要となる。
【課題を解決するための手段】
【００２２】
上記課題を解決するために、本発明の一実施の態様は、例えば特許請求の範囲に記載された技術的思想を用いる。
【発明の効果】
【００２３】
上記手段によれば、複数の限定受信制御部（ＩＣカード、Ｂ−ＣＡＳカード等）を用いる受信装置の使い勝手を向上させることができる。
【図面の簡単な説明】
【００２４】
【図１】限定受信方式の概念の一例を示す図
【図２】送受信システムの構成の一例を示す図
【図３】送信装置の構成の一例を示す図
【図４】スクランブル制御部の構成の一例を示す図
【図５】受信装置の構成の一例を示す図
【図６】各実施例における受信装置の構成の一例を示す図
【図７】各実施例における受信装置の別の構成の一例を示す図
【図８】各実施例における受信装置が備える制御部の構成の一例を示す図
【図９】実施例１におけるＩＣカード情報表示画面の一例を示す図
【図１０】実施例２におけるＩＣカードスロット挿入口の表示の一例を示す図
【図１１】実施例４における受信装置の仮視聴期間の取り扱いの一例を示す図
【図１２】実施例３におけるＩＣカード異常状態表示の一例を示す図
【図１３】実施例３におけるＩＣカード状態遷移の一例を示す図
【図１４】実施例３におけるＩＣカード異常時の表示の一例を示す図
【図１５】実施例３におけるＩＣカード未挿入時の制限事項の表示の一例を示す図
【図１６】実施例１におけるＥＭＭメッセージ処理の一例を示す図
【図１７】実施例１におけるＩＣカード情報表示処理の一例を示す図
【図１８】実施例３におけるＩＣカードの異常状態表示処理の一例を示す図
【図１９】実施例３におけるＩＣカードの未挿入状態表示処理の一例を示す図
【図２０】実施例３におけるＩＣカードの誤挿入状態表示処理の一例を示す図
【図２１】実施例３におけるＩＣカードの誤挿入状態を通知する表示の一例を示す図
【発明を実施するための形態】
【００２５】
以下、本発明に好適な実施形態の例（実施例）を説明する。ただし、本発明は本実施例に限定されない。本実施例は、主には日本における放送方式および限定受信方式に関するものである。
【実施例１】
【００２６】
放送の形態に応じたＩＣカード種別の分類がある場合、例えば地上デジタル放送専用カードと３波共用カードなどの分類がある場合は、規格などで視聴可能な放送形態が制限されることがある。上記の例では、地上デジタル放送専用カードではＢＳ／ＣＳデジタル放送を視聴することはできない、などのように制限されることがある。
【００２７】
また、１枚のＩＣカードでデスクランブル可能な番組数は、規格などで制限されることがある。
【００２８】
実施例では、放送信号は、画像圧縮技術としてＭＰＥＧ（Ｍｏｖｉｎｇ  Ｐｉｃｔｕｒｅ  Ｅｘｐｅｒｔｓ  Ｇｒｏｕｐ）方式によって符号化され、ＭＰＥＧ２―ＴＳ（Ｔｒａｎｓｐｏｒｔ  Ｓｔｒｅａｍ）方式で多重化された信号を例に挙げて説明する。
【００２９】
図１に限定受信方式の概念図の例を示す。
【００３０】
送信側において、スクランブル鍵Ｋｓによって映像等を含むストリームにスクランブルを施す。スクランブル鍵Ｋｓはワーク鍵Ｋｗにより暗号化され、スクランブルされたストリームに多重化される。また、ワーク鍵Ｋｗはマスター鍵Ｋｍにより暗号化され、スクランブルされたストリームに多重化される。以上のようにして限定受信方式を用いたストリームは生成され、送信される。限定受信のために必要な情報は、共通情報（ＥＣＭ：Ｅｎｔｉｔｌｅｍｅｎｔ Ｃｏｎｔｒｏｌ Ｍｅｓｓａｇｅ）、個別情報（ＥＭＭ：Ｅｎｔｉｔｌｅｍｅｎｔ  Ｍａｎａｇｅｍｅｎｔ  Ｍｅｓｓａｇｅ）に分類され、スクランブル鍵ＫｓはＥＣＭとして、ワーク鍵ＫｗはＥＭＭとしてストリームに多重化される。
【００３１】
受信側において、受信したストリームよりＥＣＭおよびＥＭＭなどの限定受信に必要な情報を分離する。特定の契約が必要な放送の場合は、ＥＭＭをマスター鍵Ｋｍで復号することによりワーク鍵Ｋｗおよび契約情報を得る。特定の契約が不要な放送であれば、限定受信制御を行うデバイスが持つＫｗを得る。ＥＣＭをワーク鍵Ｋｗにより復号することでスクランブル鍵Ｋｓを得る。契約情報に基づく視聴判定を行い、視聴可能であればスクランブル鍵Ｋｓにより、受信したストリームをデスクランブルする。
＜システム＞
図２は、本実施例のシステムの構成例を示すブロック図である。この図は、放送で情報を送受信して表示および記録再生する場合を例示している。
【００３２】
３０１は放送局などの情報提供局に設置される送信装置、３０２は中継局や放送用衛星などに設置される中継装置、３０３はユーザの宅内などに設置される受信装置、３０４は受信装置３０３に内蔵される限定受信システムである。限定受信システム３０４は、デジタル放送に施されるスクランブルを解除（デスクランブル処理）し、視聴および／または録画可能とする仕組みを備える。記録再生部３０５では、限定受信システムでデスクランブルした情報を記録し、再生することができる。出力部３０６は、受信装置３０３がディスプレイなどの出力装置を備える場合はその装置から、備えない場合は別の装置へ情報信号を出力することができる。
【００３３】
送信装置３０１は、中継装置３０２を介して、変調された信号電波を伝送する。例えばケーブルによる伝送、電話線による伝送、地上波放送による伝送などを用いることもできる。受信装置３０３で受信されたこの信号電波は、後に述べるように、限定受信制御方式に基づきデスクランブル処理され、必要に応じ表示出力あるいは記録に適した信号に変換される。また、ユーザは、出力部３０６から出力される映像音声を視聴することができる。
【００３４】
＜送信装置＞
図３は、図２のシステムのうち、送信装置３０１の構成例を示すブロック図である。４０１はソース発生部、４０２はＭＰＥＧ方式等で圧縮を行うエンコード部、４０３はスクランブル部、４０４は変調部、４０５は送信アンテナ、４０６はスクランブル制御部である。カメラ、記録再生装置などからなるソース発生部４０１で発生した映像音声などの情報は、より少ない占有帯域で伝送できるよう、エンコード部４０２でデータ量の圧縮が施される。放送事業者の運用に従って、必要に応じてスクランブル部４０３で、特定の視聴者には視聴可能となるようにスクランブル処理される。変調部４０４で伝送するに適した信号となるよう変調された後、送信アンテナ４０５から、中継装置３０２に向けて電波として送信される。このとき、スクランブル制御部４０６では、スクランブル処理に必要な情報を多重化する。
【００３５】
図４にスクランブル制御部４０６の動作例を示す。
スクランブル制御部４０６では、エンコード部で生成された映像信号、音声信号、および必要に応じて別途入力されるデータ信号に加え、限定受信制御に必要な情報であるＥＣＭ、ＥＭＭをＭＰＥＧ２規格で定められるＴｒａｎｓｐｏｒｔ  Ｓｔｒｅａｍ（ＴＳ）として多重化する。この多重化された信号はスクランブル部４０３によりスクランブルされる。主にスクランブルは、ＭＰＥＧ２規格で定められるＴＳパケットのペイロード部分を対象として施される。なお、一つの電波には複数の情報が、時分割、スペクトル拡散などの方法で多重されることが多いが、その点については説明を割愛する。
＜受信装置＞
図５にデジタル受信装置の構成例を示し、各部の動作について説明する。図５の受信装置６０１において、６０２は放送波を受信するアンテナ、６０３は選局および復調を行うチューナ部、６０４は放送信号のスクランブルを解除するデスクランブラ、６０４は多重された信号から所望する信号を分離する分離部、６０６は映像・音声信号のデコードを行うデコード部、６０７はデコードされた映像・音声信号等を出力する出力部、６０８は受信制御を行う制御部、６０９は限定受信のための契約情報や鍵の管理および制御を行う限定受信制御部である。
【００３６】
アンテナ６０２で受信した放送信号は、チューナ部６０３へ送られ、チューナ部６０３はベースバンド信号に復調すると共にエラー訂正等を施してデスクランブラ６０４へ出力する。デスクランブラ６０４は、限定受信制御部６０９より得られるスクランブル解除鍵によりスクランブルの解除を行う。
【００３７】
例えば日本のデジタル放送では、映像・音声・データなどのコンテンツにスクランブルが施され、番組名などの番組付加情報にはスクランブルが施されておらず、また、限定受信のための限定受信制御信号には暗号化が施されており、前記スクランブルされたコンテンツがスクランブル解除の対象となる。
【００３８】
スクランブル解除された信号は分離部６０５において所望する信号が分離され、映像・音声信号はデコード部６０６へ、番組付加情報や限定受信制御信号は制御部６０８を通して限定受信制御部６０９へ伝送される。映像・音声信号デコード部６０６でデコードされ、出力部６０７によりディスプレイやスピーカ等で表示される。
【００３９】
制御部６０８は、上記のような受信制御を行い、分離部６０５より得た限定受信制御信号を限定受信制御部６０９へ渡し、前記スクランブル解除鍵を限定受信制御部６０９より得てデスクランブラ６０５に設定することで、スクランブルされた放送をスクランブル解除して視聴および／または録画可能とする。
【００４０】
この例の日本におけるデジタル放送の場合、限定受信制御部６０９は着脱可能なＩＣカードであり、限定受信制御信号にはＥＭＭとＥＣＭを用いる。よって、受信装置６０１には、限定受信制御部６０９を接続するスロット（接続部ともいう）を有する。また、以下の実施例では限定受信制御部を複数用いる構成を説明するが、複数の限定受信制御を用いる場合は上記スロットも複数有することとなる。
【００４１】
契約に関する情報であるＥＭＭを取得し、限定受信制御部６０９に通知すると、限定受信制御部６０９が持つマスター鍵Ｋｍで復号され、ワーク鍵Ｋｗが設定される。スクランブルされた番組と共に放送されるスクランブルを解除する情報であるＥＣＭを取得し、限定受信制御部６０９に渡すと、限定受信制御部６０９に設定されたワーク鍵Ｋｗで復号され、スクランブル鍵Ｋｓが得られる。
【００４２】
制御部６０８は、限定受信制御部６０９から前記スクランブル鍵Ｋｓを得、デスクランブラ６０５へ設定する。以上のように、契約情報が限定受信制御部６０９内にあり、その契約情報によって契約している放送のスクランブルを解除するための鍵を得る。
【００４３】
以降、地上デジタル放送などで提供される、特別な視聴契約を行うことなく視聴可能となるＩＣカードを非契約カードと呼び、非契約カードによってデスクランブルすることのできる番組を無料番組と呼ぶ。また、一部のＢＳデジタル放送やＣＳデジタル放送などで提供される、放送波に特別なスクランブル処理を行い、特定の事業者との契約によりスクランブルを解除し視聴可能となるＩＣカードを契約カードと呼び、契約カードによってのみデスクランブルすることのできる番組を有料番組と呼ぶ。
【００４４】
各実施例では、ＩＣカードの数は２枚であり、そのうち契約カードの数は１枚、非契約カードの数は１枚であるとし、また、１枚のＩＣカードで同時にデスクランブル可能な番組数は２番組までであるとし、同時視聴および／または同時録画可能な番組数は３番組までであるとして説明するが、本発明はこれらのＩＣカード等の数や１枚のＩＣカードで同時にデスクランブル可能な番組数、同時視聴および／または同時録画可能な番組数の例に制限されない。
【００４５】
以下、各実施例における具体的な構成の一例について説明する。
図６に、２系統の限定受信制御部を備え、同時に３番組の視聴および／または録画が可能な受信装置の構成例を示す。図６の受信装置７０１において、６０２はアンテナ、６０３および６１３はチューナ部ＡおよびＢ、６０４および６１４はスクランブルを解除するデスクランブラＡおよびＢ、６０５および６１５は多重された信号から所望する信号を分離する分離部ＡおよびＢ（例えば、デマルチプレクサなど）、６０６はデコード部（例えば、ＭＰＥＧデコーダなど）、６０７はデコードされた映像・音声信号等を出力する出力部（例えば、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  ＤＩＳＰＬＡＹ  Ｐａｎｅｌ）などを利用した表示部、スピーカ等による音声出力部、または他の表示装置などにアナログあるいはデジタルの映像データ／音声データを出力するＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）出力端子など）、６０８は受信制御を行う制御部、６０９および６１０は限定受信のための契約情報や鍵の管理及び制御を行う限定受信制御部ＡおよびＢ（例えば、ＩＣカード・スマートカードなどと呼ばれる演算処理機能を有するカード類や半導体チップ（ＩＣ、システムＬＳＩ、ＡＳＩＣ、ＦＰＧＡなど）、ＣＰＵなどの演算装置によりソフトウェアとして動作するプログラム、などが用いられる）、６１１は記録のためのデータ管理および制御を行う記録制御部、６１２は番組を記録するための記録媒体（例えばハードディスクドライブ（ＨＤＤ）、半導体メモリ、磁気ディスク、光ディスク、光磁気ディスクなどのランダムアクセスが可能な媒体）、６１６は各放送データをデコード部６０６および／または記録制御部６１１のどちらへ出力するかを選択する経路選択部である。
【００４６】
各部の動作に関しては前述の受信装置６０１と同様であるが、チューナおよびデスクランブラおよび分離部および限定受信制御部が２系統となっている点で異なる。また、この例では、チューナＡ６０３およびデスクランブラＡ６０４および分離部Ａ６０５および限定受信制御部Ａ６０９は１つのチャンネル（番組）を取り扱い、チューナＢ６１３およびデスクランブラＢ６１４および分離部Ｂ１１５および限定受信制御部Ｂ６１０は２つのチャンネル（番組）を同時に取り扱う。また、限定受信制御部Ａ６０９は、地上デジタル放送およびＢＳデジタル放送およびＣＳデジタル放送の有料番組の視聴が可能となる契約情報を保持するものとし（以降、契約情報ｘとする）、一方で、限定受信制御部Ｂ６１０は、地上デジタル放送のみの視聴が可能となる契約情報を保持するものとする（以降、契約情報ｙとする）。制御部６０８は、複数の番組のデスクランブル処理を、限定受信制御部Ａ６０９および限定受信制御部Ｂ６１０のどちらに処理させるか（アクセス先をどちらにするか）を切り替える機能を備える。また、制御部６０８は、限定受信制御部Ａ６０９または限定受信制御部Ｂ６１０のうち、どちらに有料番組を視聴可能な契約情報（契約情報ｘ）を保持しているかを判別することができる（制御部６０８の備える機能ブロックの詳細は後述する）。
【００４７】
また、図７に受信装置の別の構成を示す。受信装置１００１は、入力部１００２および出力部１００３を備え、その他の符号は図７の受信装置７０１と同様である。入力部１００２は、チューナからの放送波や、他機器からネットワーク経由で受信する信号などを入力信号として扱うことが可能なインターフェースでであり、出力部１００３は、他機器へネットワーク経由でデスクランブル後の信号を送出することが可能なインターフェースである。入出力信号は、主にＭＰＥＧ２−ＴＳによるストリームが想定されるが、限定受信制御を行う必要があるストリームデータであればその他の形式でもよい。
【００４８】
次に、上述した受信装置における特定のデータ放送（双方向サービスなど）や自動表示メッセージなどに対する処理について説明する。
【００４９】
上述したとおり、ＩＣカード（Ｂ−ＣＡＳカード）の種類が異なると、特定のデータ放送での挙動や自動表示メッセージの表示有無などが異なる可能性があり、このような場合、ユーザが受信装置の挙動を理解しにくく、使い勝手が悪いといった問題がある。そこで、ここでは複数のＩＣカード（Ｂ−ＣＡＳカード）が１つの受信装置に用いられる場合であっても、かかる使い勝手の悪さを低減する処理について説明する。
【００５０】
限定受信制御情報には、例えば番組視聴中、画面上へ自動的に表示する自動表示メッセージなど、受信装置での表示制御に関する情報がある（例えばＥＭＭメッセージと呼ばれる情報など）。ＥＭＭメッセージ（例えばＥＭＭ個別メッセージ）に対して、カードＩＤ（カード固有のＩＤ番号）によって受信装置の挙動（レスポンス）が異なる場合がある。カードが複数枚あり、各カードＩＤごとにＥＭＭメッセージに対するレスポンスが異なる場合、受信装置として一貫した動作を行わせるためには、複数枚あるカードのうちどのカードＩＤを使用して動作を行うかを定める方法が必要となる。この方法で定める一枚のカードを、ここでは『代表カード』と定義し、そのカードＩＤを『代表カードＩＤ』と定義する。
【００５１】
本実施例では、複数枚のＩＣカードを用いる場合に、いずれか一枚を代表カードとして扱う。すなわち、受信装置は代表カードのカードＩＤのみに従い各種の限定受信制御に関連した動作を行う。例えば、ＥＭＭメッセージや特定のデータ放送などのカードＩＤを必要とする処理を、代表カードによるレスポンスに従ってのみ行うようにする。
【００５２】
図８に本実施例における制御部６０８の機能ブロックの構成例を示す。図８において、限定受信制御情報取得部２００１は、限定受信制御情報各種を取得し、カードＩＤを指定する必要のある情報を取得すると、カード情報保持部２００２へ通知する。カード情報保持部２００２は、接続されている限定受信制御部Ａ６０９およびＢ６１０が持つカードＩＤなどの情報を保持・管理しており、そのうちのどちらが代表カードであるかの情報（代表カードＩＤ）も保持している。限定受信制御情報取得部２００１よりカードＩＤの情報が必要であるという通知を受けた場合、保持する代表カードＩＤの情報をカードアクセス部２００３へ通知する。カードアクセス部２００３は、代表カードを備える限定受信制御部へアクセスする。図８の場合は、限定受信制御部Ａ６０９が代表カードを持つので、限定受信制御部Ａ６０９へアクセスする。限定受信制御部Ａ６０９は、限定受信制御情報取得部２００１が取得した限定受信制御情報に対するレスポンスを返し、必要な動作を行う。カード情報設定部２００４は、制御部６０８の動作に応じてカード情報保持部２００２が保持するカード情報（代表カード）の設定を変更できるものとする。
【００５３】
本実施例におけるＥＭＭメッセージ受信時の処理の一例を図１６に示す。Ｓ１６０１でＥＭＭメッセージを受信すると、Ｓ１６０２へ遷移する。Ｓ１６０２では、カード情報保持部２００２が保持する代表カードの情報に基づき、限定受信制御部Ａ６０９およびＢ６１０のうち代表カードと定めたＩＣカードを備える限定受信制御部へアクセスを行い（図８の場合は、代表カードを備えるのは限定受信制御部Ａ６０９であるので、限定受信制御部Ａ６０９へアクセスを行う）、Ｓ１６０３へ遷移する。Ｓ１６０３では、代表カードを持つ限定受信制御部にて、受信したＥＭＭメッセージがこの代表カードＩＤを対象としたものであるかを判別する。代表カードＩＤがＥＭＭメッセージの対象でない場合、特に処理を行う必要はないので処理を終了する。代表カードＩＤがＥＭＭメッセージの対象である場合は、Ｓ１６０４へ遷移し、ＥＭＭメッセージの内容に従い処理を行う。
【００５４】
本実施例では、複数枚のＩＣカード使用時において、代表カードのレスポンスに従い常に一貫した動作が可能となり、使い勝手の向上を図ることができる。
【００５５】
また、カードＩＤを表示する場合や、カード情報を取得する場合は、代表カードと代表カード以外を容易に識別できる表示方法や処理方法により処理するようにする。ＩＣカードから取得したＩＣカードの情報を表示する方法の一例としては、例えば受信装置が備える出力部６０７による表示などを利用し、設定メニュー画面などのユーザインタフェースからＩＣカード情報表示画面を呼び出す方法などが考えられる。
【００５６】
このＩＣカード情報表示画面では、例えば、カードＩＤ、カード識別（メーカ名やバージョン番号などを含む情報）、グループＩＤ（同一グループから申し出があった場合に、その対象となるグループ内共通のカードＩＤ）などの情報を表示する。表示の方法としては、カード情報の表示であることを示す表示、カード識別として、メーカ識別（ＡＳＣＩＩ１文字）とバージョン（１０進３桁）により表示、カード識別であることを示す表示、カードＩＤとして、ＩＤ識別（１桁）、個別カードＩＤ（１０進４桁）、チェックコード（５桁）、これらをまとめて１０進２０桁とし４桁ごとに区切りを入れて表示、カードＩＤであることを示す表示、グループＩＤがある場合には、ＩＤ識別〜グループＩＤ〜チェックコードまでをまとめて１０進２０桁で４桁ごとに区切りを入れて表示、グループＩＤであることを示す表示、選択したＩＤ識別に対応するグループＩＤ番号（ＩＤ識別番号を含むグループＩＤ番号）の表示、選択したＩＤ識別に対応するグループＩＤ番号が設定されていない場合には、設定されていないことを示すメッセージ表示、などがある。本実施例では、これらに加え、複数枚のＩＣカード情報を表示する方法の一例として、例えば複数枚のＩＣカード情報を表示し、そのＩＣカード情報のうちどれが代表カードに該当するカードかを示す表示を行う。
【００５７】
図９に本実施例における複数枚のＩＣカード情報表示を行った場合の画面構成の一例を示す。本実施例では、受信装置の定めるＩＣカード表示方法の一例として、２枚のＩＣカードをＩＣカード１、ＩＣカード２というようにそれぞれ定め、出力部６０７における例えばディスプレイなどの画面表示として一画面に表示するものとする。この図の例ではＩＣカード１が代表カードであるので、ＩＣカード１の表示領域に＜代表カード＞と表示している。
【００５８】
図１７に本実施例におけるＩＣカード情報表示処理の一例を示す。Ｓ１７０１では、ユーザ操作などによるＩＣカード情報表示要求を受け付け、Ｓ１７０２へ遷移する。Ｓ１７０２では、カード情報保持部２００２が保持する代表カードの情報に基づき、限定受信制御部Ａ６０９およびＢ６１０のうちどちらが代表カードと定めたＩＣカードを備える限定受信制御部であるかの情報を取得する。Ｓ１７０２の後、Ｓ１７０３へ遷移し、受信装置の定めるＩＣカード表示方法に従い（例えば図９に示すような２枚のＩＣカードをＩＣカード１、ＩＣカード２と定める方法）、そのうち代表カードに該当するＩＣカードの表示領域に代表カードである旨を追加して描画する処理を行い、出力部６０７における例えばディスプレイなどに表示する。以上で処理を終了する。
【００５９】
この方法により、複数枚のＩＣカード使用時において、ユーザはどのＩＣカードが代表カードであるかを把握しやすくなることで、受信装置の挙動を理解しやすくなり（例えば、契約などを行う場合はそのカードを使えばよい、など）、受信装置の使い勝手の向上を図ることができる。
【００６０】
代表カードの決定方法については、例えば、複数枚のＩＣカードがすべて同じ形態のカード（地上デジタル専用カードまたは３波共用カードのいずれか一種類）であれば、複数枚のうち任意の１枚を初期設定として選択することで代表カードとし、複数枚のＩＣカードで異なる種類を混在して使用する場合には、デスクランブル可能な放送波や番組がより多いＩＣカード（例えば上位互換である３波共用カード、有料放送と無料放送の双方をデスクランブル可能なカード等）を初期設定として選択することで代表カードとする方法が考えられる。異なる種類のＩＣカードが混在する場合には、契約番組の視聴が可能なＩＣカード（例えば３波共用カード）を代表カードとすることで、契約番組の視聴に必要な契約を代表カードに集約できるため、ユーザは契約有無の管理を代表カードのみで行うことができる。
【００６１】
この他には、複数のＩＣカードスロットのうちの１つを代表カード用スロットとあらかじめ設定し、そのスロットに挿入されたカードを代表カードとして扱う方法などが考えられる。これらで決定した代表カードの情報を、制御部６０８のカード情報設定部２００４により、カード情報保持部２００２へ設定しておくことで実現できる。ただし、代表カードの決定方法は、本実施例に限定されない。また、ＩＣカード情報表示方法や表示処理手順は、本実施例に限定されない。
【実施例２】
【００６２】
次に、複数枚のＩＣカード（Ｂ−ＣＡＳカード）を１つの受信装置で用いる場合におけるＩＣカードを挿入するスロットに関する実施例を説明する。上述したように、カードを挿入するスロットが複数設けられると、どのカードをどのスロットに挿入すれば良いのかがわかり難くなるおそれがあり、ユーザにとって使い勝手が悪くなる。
【００６３】
そこで、本実施例では、複数枚のＩＣカードで異なる形態のカードを混在して使用する場合に、ＩＣカードを挿入するスロットを、視聴可能な放送の種類ごとに分別して設け、その種類に対応したＩＣカードをそれぞれ挿入するようにする。本実施例におけるＩＣカードスロットは、図８における限定受信制御部Ａ６０９およびＢ６１０と、各ＩＣカードとを物理的に接続するためのインターフェースに相当する。すなわち、ＩＣカードスロットへＩＣカードを挿入することにより、受信装置の限定受信制御部Ａ６０９およびＢ６１０として使用することができる。
【００６４】
ＩＣカード形態の分別の方法は、例えば、『地上デジタル専用カードのスロット』と『３波共用カードのスロット』などを、受信装置本体の各スロット近傍に印刷表示する方法がある。図１０に受信装置でのスロットの構成例を示す。２１０１は３波共用カード用のスロットであることを示し、２１０３は地上デジタル専用カード用のスロットであることを示す表示を行っている。２１０２および２１０４は各カードの挿入口である。
【００６５】
この他にも、カードスロット部分を赤・青など色によって分別し、どちらのカードをどちらの色のスロットに挿入するかを示す文言を、受信装置に付属する取扱説明書等に記載するなどの方法が考えられる。
【００６６】
本実施例では、ユーザは複数枚のＩＣカードをどのスロットに挿入すればよいかわかりやすくなり、使い勝手の向上を図ることができる。ＩＣカード形態の分別方法は、本実施例に限定されない。
【実施例３】
【００６７】
次に、複数のＩＣカード（Ｂ−ＣＡＳカード）のうちいずれかのカードが故障した場合や、いずれかのカードが未挿入であったり、誤挿入されていたりした場合についての処理を説明する。
【００６８】
複数枚のカードを使用する受信装置では、いずれかのＩＣカードが未挿入あるいは誤挿入、または故障した場合などに、ユーザが所望する動作を実現できない可能性がある。そこで、本実施例では、ＩＣカードが未挿入の場合や誤挿入の場合、故障を検知した場合などに、適切な表示や通知、あるいは動作制限を行うようにする。
【００６９】
一例としては、ＩＣカードに故障などの異常が発生した際に、複数枚のＩＣカードのうちどのカードに異常が発生したかを特定する手段を設けるようにする。例えば、視聴中に限定受信制御部Ａ６０９およびＢ６１０がそれぞれ備えるＩＣカードへのアクセスを行ったタイミングで、限定受信制御部から正常なレスポンスが得られない（異常発生）と判定された場合に、制御部６０８により異常となるＩＣカードのカードＩＤを取得する方法がある。
【００７０】
本実施例におけるＩＣカード異常状態の取得方法の一例を図１８に示す。視聴処理中、Ｓ１８０１にて使用している限定受信制御部Ａ６０９およびＢ６１０のレスポンスを判別する。正常である場合にはＳ１８０２へ遷移しデスクランブル処理を行い、処理終了する（なお、この処理は視聴中常に行われるため、すぐ処理開始される）。レスポンスが異常である場合は、Ｓ１８０３へ遷移し、カード情報保持部２００２が備えるＩＣカードの情報から、異常のあるＩＣカードのカードＩＤを取得する。Ｓ１８０３で異常が発生したカードＩＤを取得すると、Ｓ１８０４へ遷移し、出力部６０７における例えばディスプレイなどの画面表示として、ＩＣカードに異常が発生した旨とそのカードのカードＩＤを表示し、処理を終了する。
【００７１】
また、視聴中に限らず、上記の方法を任意のタイミングで行ってＩＣカード状態を判別しても良い。例えばユーザ要求によるＩＣカード情報表示などのときに、上記のような方法で取得した異常が発生したカードＩＤを表示できるようにする。
【００７２】
図１２に、複数枚のＩＣカードのうちどのカードに異常が発生したかを特定し表示する場合の画面構成例を示す。本実施例では、受信装置の定めるＩＣカード表示方法の一例として、２枚のＩＣカードをＩＣカード１、ＩＣカード２というようにそれぞれ定め、出力部６０７における例えばディスプレイなどの画面表示として一画面に表示するものとする。異常が発生しているカードがＩＣカード１、ＩＣカード２のどちらであるかを判別しやすいように、カードごとに状態を表示する。
【００７３】
このような方法を用いることで、ＩＣカードを複数枚用いる場合でも、異常のあるＩＣカードを特定できるため、ユーザに通知することで対応を促すことができるので、使い勝手の向上を図ることができる。
【００７４】
また、本実施例では、ＩＣカードの状態に応じて適切な制御を行わせる手段を備える。ＩＣカードの状態遷移の一例を図１３に示す。実施例１で述べたような代表カードを定める場合には、代表カードが未挿入または故障した場合に、特定の契約番組の視聴や、特定のデータ放送などの処理ができないおそれがあるため、その旨をユーザに通知する。具体的な例としては、視聴中に代表カードを備える限定受信制御部（図８の場合は限定受信制御部Ａ６０９）が備えるＩＣカードへのアクセスを行ったタイミングで、限定受信制御部から正常なレスポンスが得られない（異常発生）と判定された場合に、出力部６０７における例えばディスプレイなどの画面表示として表示する。この場合の処理シーケンスは、図１８の処理シーケンスを代表カードを備える限定受信制御部（図８の場合は限定受信制御部Ａ６０９）に対して行った場合と同様である。
【００７５】
図１４は、複数枚中の１枚のＩＣカードが故障した場合の表示の一例である。図１４のように、故障したカードが代表カードであることと、代表カードが故障しているため不可能となった処理内容を示すメッセージを表示することで、ユーザは異常状態を把握しやすくなる。このとき、異常状態への対応方法も合わせて表示することで、より使い勝手向上が図れる。
【００７６】
他の問題として、複数枚のＩＣカードを用いる受信装置で、複数枚中何枚かのＩＣカードが未挿入であっても、その構成によっては問題なく動作する可能性がある。このような受信装置では、複数枚中何枚かのＩＣカードを抜き取り、他の機器に転用する（ＩＣカード転用）など、放送事業者の意図しない方法で使用されるおそれがある。本実施例では、前記の問題に対し、ＩＣカードが未挿入であることを検知した場合に、その受信装置が本来使用可能な機能を適切に制限し、完全な動作とならないようにする方法がある。具体的な例としては、限定受信制御部Ａ６０９およびＢ６１０の物理的インターフェースであるＩＣカードスロットへ適切にＩＣカードが挿入されているかどうかを、カード情報保持部２００２にて判別し、一部または全てのＩＣカードが適切に挿入されていない場合は、出力部６０７における例えばディスプレイなどの画面表示として表示する方法がある。
【００７７】
本実施例におけるＩＣカード未挿入の場合の処理方法の一例を図１８に示す。Ｓ１９０１にて限定受信制御部Ａ６０９およびＢ６１０のレスポンスを判別し、正常である場合には特に処理を行わずに終了する。限定受信制御部Ａ６０９およびＢ６１０のいずれかあるいは全てに対してＩＣカードが未挿入であると判別された場合、Ｓ１９０２へ遷移し、ＩＣカード未挿入である旨のメッセージを出力部６０７における例えばディスプレイなどの画面表示として表示し、処理を終了する。
【００７８】
図１５は、複数枚のうち１枚のＩＣカードが未挿入の場合に表示するメッセージの一例である。ＩＣカード未挿入であっても完全な動作が可能な受信装置である場合は、ＩＣカード転用を助長するおそれがあり好ましくないため、全てのＩＣカードが適切に使用されていない場合は、出力部６０７における例えばディスプレイなどの画面表示として図１５のようなメッセージ画面を表示し、正常な視聴とさせないことで、ＩＣカード転用を防ぐことができる。加えて、ＩＣカード故障の場合も考慮し、挿入されているＩＣカードによりデスクランブル可能なチャンネルは、メッセージ表示の背後にデスクランブルしデコードした映像を表示するなど、最低限の動作を可能とし、故障対応までの期間を救済する方法を用意するなどに、ユーザの使い勝手を考慮した動作としてもよい。
【００７９】
また、他の問題として、受信装置の受信制御によってはＩＣカードスロットに対して挿入すべきＩＣカード種別を定める場合が考えられる。その場合に、複数枚のＩＣカードを挿入するにあたり、定められたスロットでないスロットへ誤って挿入してしまうおそれがある。本実施例では、このようなＩＣカードの誤挿入に対し、適切なメッセージを表示する手段を備える。
【００８０】
複数のＩＣカードスロットをインターフェースとして持つ限定受信制御部Ａ６０９およびＢ６１０が、それぞれどの種別のＩＣカードを挿入すべきかを定める場合、例えば、カード情報保持部２００２によりその情報を保持することが考えられる。ＩＣカード種別は、カードＩＤにより、３波共用カードであるか、地上デジタル放送専用カードであるかの判別が可能であるため、限定受信制御部Ａ６０９は３波共用カード、限定受信制御部Ｂ６１０は地上デジタル放送専用カード、というように定めることが可能である。
【００８１】
本実施例によりＩＣカード挿入時に、ＩＣカードスロットに適切なＩＣカード種別のＩＣカードが挿入されているかを判別する処理の一例を、図２０に示す。Ｓ３００１で、挿入されているＩＣカード種別が、カード情報保持部２００２により保持する当該限定受信制御部に対応したＩＣカード種別であるかを判別する。当該限定受信制御部に対応したＩＣカード種別である場合は、特に問題はないため処理を終了する。当該限定受信制御部に対応したＩＣカード種別でない場合は、ＩＣカード誤挿入と判定し、Ｓ３００２へ遷移し、カード情報保持部２００２が備えるＩＣカードの情報からカードＩＤを取得する。Ｓ３００２の後、Ｓ３００３へ遷移し、ＩＣカード誤挿入（想定された適切なスロットへ挿入されていない）を示すメッセージおよびそのカードＩＤを表示し、処理を終了する。以上の処理を各限定受信制御部ごとに行い、ＩＣカード誤挿入を検出し、ユーザに対応を促すようにする。
【００８２】
図２１は、複数枚中の１枚のＩＣカードが誤挿入された場合の表示の一例である。図２１のように、ＩＣカードが誤挿入されていることと、そのカードＩＤを表示している。合わせて、ユーザに適切なスロットへカードを挿入するよう促すメッセージや、誤挿入に伴う問題をあわせて表示するなどにより、より使い勝手向上が図れる。
【００８３】
以上の方法によりＩＣカード状態（未挿入／誤挿入／故障）の判別を行い、図１２、１４、１５、２１などに示すような各状態に対応するメッセージ表示を行うタイミングの例としては、視聴中に行われるＩＣカードへのアクセスを逐次監視し、レスポンスが正常であるかどうかによりＩＣカード状態を判別する方法がある。このとき、ＩＣカードが挿入されていないスロットがあれば未挿入のメッセージ（例えば図１５）を表示し、実施例２に示すようなスロットごとに挿入するＩＣカードの種類が異なる場合において、あるスロットに想定されるＩＣカードの種類とは別のＩＣカードが挿入されている場合は誤挿入のメッセージ（例えば図２１）を表示し、あるスロットに対し想定される種類のＩＣカードが挿入されているが正常なレスポンスを得られないことを検知した場合はカード故障のメッセージ（例えば図１２）を表示する。
【００８４】
その他のＩＣカード状態判別およびメッセージ表示のタイミングとしては、各種ＩＣカードが受信装置に挿入されたタイミングでＩＣカード状態の判別およびメッセージ表示を行うことが考えられる。例えば、ＩＣカードスロットにＩＣカードが挿入されたことを契機とし、全てのスロットのＩＣカードへのアクセスを試み、レスポンスを監視することでＩＣカードの状態判別を行う。このときの判別結果と表示メッセージの例は上述の視聴中ＩＣカードのレスポンスを常に監視し判別・表示する場合と同様である。
【００８５】
その他のＩＣカード状態判別およびメッセージ表示のタイミングとしては、放送を録画することが可能な受信装置において、ユーザが録画予約を行ったタイミングで（視聴および録画に伴うＩＣカードアクセスに先駆けて）行う方法が考えられる。例えば、デジタル放送により提供される電子番組表から、特定の番組をリモコンなどで選択し、録画予約動作を決定するタイミングで、ＩＣカードへのアクセスを行い、ＩＣカードの状態を判別する。このときの判別結果と表示メッセージの例は上述の視聴中ＩＣカードのレスポンスを常に監視し判別・表示する場合と同様である。
【００８６】
さらに、以上の方法で予約録画を行った際にはＩＣカード状態が正常であっても、各種メッセージが表示されなかった場合において、その後ユーザが当該受信装置から離れるなどによりメッセージ表示を確認できない状態となった後に、ＩＣカード状態に異常が発生することも考えられ（例えば、そのようなタイミングでＩＣカードが故障したり、他者によりＩＣカードを操作されたりした場合）、このような場合は録画失敗のおそれがある。これに対し、予約録画開始後、ＩＣカード状態判別を録画中常に行っておき、ＩＣカードの各種異常を検知した場合はその情報を受信装置内部の例えばカード情報保持部２００２などで記憶しておき、その後、当該受信装置に録画した番組を一覧で表示する画面などから、上述の予約録画によって録画した番組をユーザが選択し視聴（再生）する場合に、録画中に検知し記憶しているＩＣカード異常状態に基づき、録画中にＩＣカードに異常が発生した旨のメッセージを再生前に表示する。このときの判別結果と表示メッセージの例は上述の視聴中ＩＣカードのレスポンスを常に監視し判別・表示する場合と同様である。このようにすることで、録画が失敗していた場合などでも、その原因をユーザが理解しやすくなる。
【００８７】
また、上述の方法を任意のタイミングで行ってＩＣカード状態を判別する場合も考えられる。例えばユーザ要求により、メニューなどから選択される設定変更の画面などからＩＣカードの情報表示を行う場合など、ユーザが情報表示を要求するタイミングでＩＣカードへのアクセスを行い、ＩＣカードの状態を判別する。このときの判別結果と表示メッセージの例は上述の視聴中ＩＣカードのレスポンスを常に監視し判別・表示する場合と同様である。
【００８８】
本実施例によれば、ＩＣカードが未挿入や誤挿入、故障をユーザが認識でき、対応を促すことが出来るので使い勝手の向上を図ることができる。また、ＩＣカード転用など、放送事業者や受信装置メーカの意図しない方法での使用を制限する効果もある。
【００８９】
なお、ＩＣカードの状態に対する表示内容（メッセージなど）や表示処理手順、動作制限事項などは、本実施例に限定されない。また、ＩＣカードの状態判別のタイミングや方法は本実施例に限定されない。
【実施例４】
【００９０】
次に、有料放送の仮視聴期間に関する処理について説明する。上述したとおり、仮視聴期間はＩＣカード（Ｂ−ＣＡＳカード）ごとに設定される場合があり、１つの受信装置に複数のカードが用いられる場合、仮視聴期間が放送事業者が意図した期間よりも長くなってしまうおそれがある。
【００９１】
そこで、本実施例では、複数枚のＩＣカードを用いて有料放送を視聴する場合に、有料放送に設定されている仮視聴期間を適切に設定するようにする。例えば、同じ契約形態の有料放送が視聴可能なＩＣカードをＮ枚使用する場合、それぞれのＩＣカードごとに仮視聴期間が存在するため、それらを１枚ずつＮ回使用すると仮視聴期間は見かけ上Ｎ倍となり、放送事業者が意図する仮視聴期間とはならなくなってしまう。そのため、放送事業者が意図する仮視聴期間を遵守する方法が必要である。
【００９２】
例えば、ＩＣカードを制御する制御部などで、特定の放送の仮視聴期間を管理するための管理情報を保持しておき、同じ契約形態のＩＣカードすべてのアクセスを、前記管理情報に基づき制御することで、仮視聴期間を複数回行使することを不可能とする方法が考えられる。
【００９３】
図８を用いて本実施例を説明する。図８の制御部６０８において、限定受信制御情報取得部２００１は、限定受信制御情報各種を取得する。カード情報保持部２００２は、接続されている限定受信制御部Ａ６０９およびＢ６１０が備えるカードごとに、特定の放送／番組が視聴可能かという情報と、それらに仮視聴期間（有効期間）の設定があるかという情報を保持・管理しており、また、仮視聴期間が設定された特定の放送／番組ごとに、受信装置として利用可能な仮視聴期間を定め、保持する機能を備える。カードアクセス部２００３は、限定受信制御部へアクセスし、情報を送受する機能を備える。カード情報設定部２００４は、制御部６０８の動作に応じてカード情報保持部２００２が保持するカード情報（代表カード）の設定を変更できるものとする。
【００９４】
本実施例における仮視聴期間を扱う場合の処理について図１１を用いて説明する。Ｓ２２０１において、カード情報保持部２００２は、限定受信制御情報取得部２００１により得られた限定受信制御情報から、視聴可能な契約情報を保持しているかをまず判別し、視聴可能な契約情報を保持していない（未契約）である場合は、Ｓ２２０２へ遷移する。視聴可能な契約情報を保持している（契約済み）であれば、Ｓ２２０４へ遷移しデスクランブル処理を開始する。Ｓ２２０２では、仮視聴期間が設定された放送／番組であるかを判別する。仮視聴期間が設定されている放送／番組であれば、Ｓ２２０３へ遷移する。仮視聴期間が設定されていない場合は、視聴不可のため処理を終了する。Ｓ２２０３では、カード情報保持部２００２が保持する受信装置として利用可能な仮視聴期間内であるかを判別し、仮視聴期間内であれば、Ｓ２２０４へ遷移し、その期間のみ適切な限定受信制御部にアクセスしデスクランブル処理を開始する。仮視聴期間内でない場合は視聴不可のため処理を終了する。以上のように、複数の限定受信制御部へアクセスし仮視聴期間の情報を利用するのではなく、カード情報保持部が一元的に仮視聴期間を管理し、受信装置の挙動を決定することができる。
【００９５】
受信装置として利用可能な仮視聴期間の決定方法としては、実施例１で述べたような代表カードを定め、その仮視聴期間の情報を、受信装置として利用可能な仮視聴期間と定める方法がある。この例では、代表カードの仮視聴期間を、受信装置として利用可能な仮視聴期間とみなすため、代表カードの仮視聴期間の情報をカード情報保持部２００２が保持しており、受信装置はその情報に従い動作することで、代表カードでないカードの仮視聴期間を別途利用することを禁止できる。
【００９６】
本実施例により、複数枚のＩＣカードを使用する場合であっても、制御部６０８により各カードの仮視聴期間をまとめて管理することで適切な仮視聴期間とすることができ、放送事業者の意図する仮視聴期間を遵守する受信装置を提供することができる。
【００９７】
以上、複数枚のＩＣカードを使用する受信装置に関する実施例を複数説明したが、各実施例は適宜組み合わせることができる。
【符号の説明】
【００９８】
３０１    放送装置
３０２    中継装置
３０３    受信装置
３０４    限定受信システム
３０５    記録再生部
３０６    出力部
４０１    ソース発生部
４０２    エンコード部
４０３    スクランブル部
４０４    変調部
４０５    送信アンテナ部
４０６    スクランブル制御部
６０１    受信装置
６０２    アンテナ
６０３    チューナ
６０４    デスクランブラ
６０５    分離部
６０６    デコード部
６０７    出力部
６０８    制御部
６０９    限定受信制御部
６１０    限定受信制御部Ｂ
６１１    記録制御部
６１２    記録媒体
６１３    チューナＢ
６１４    デスクランブラＢ
６１５    分離部Ｂ
７０１    受信装置
１００１  受信装置
１００２  入力部
１００３  出力部
２００１  限定受信制御情報取得部
２００２  カード情報保持部
２００３  カードアクセス部
２００４  カード情報設定部
２１０１  ３波共用カードスロット表示
２１０２  ３波共用カード挿入口
２１０３  地上デジタル専用カードスロット表示
２１０４  地上デジタル専用カード挿入口
【図１】
2011078043.tif 000003
【図２】
2011078043.tif 000004
【図３】
2011078043.tif 000005
【図４】
2011078043.tif 000006
【図５】
2011078043.tif 000007
【図６】
2011078043.tif 000008
【図７】
2011078043.tif 000009
【図８】
2011078043.tif 000010
【図９】
2011078043.tif 000011
【図１０】
2011078043.tif 000012
【図１１】
2011078043.tif 000013
【図１２】
2011078043.tif 000014
【図１３】
2011078043.tif 000015
【図１４】
2011078043.tif 000016
【図１５】
2011078043.tif 000017
【図１６】
2011078043.tif 000018
【図１７】
2011078043.tif 000019
【図１８】
2011078043.tif 000020
【図１９】
2011078043.tif 000021
【図２０】
2011078043.tif 000022
【図２１】
2011078043.tif 000023